(57)【要約】【課題】メモ用紙を容器本体内に収納したままでもコンパクトになって嵩張らず、メモ用紙が損傷することもなく安全に保護され、しかも、輸送効率が高められるメモ用紙入りペン立てを提供する。【解決手段】上端面１ａが開放する有底円筒状の容器本体１と、該容器本体１の上端面１ａに着脱自在に被さる蓋体２とからなり、前記容器本体１内にその一側に寄せて該容器本体１の内径より小さい外径を有すると共に上端面５ａが開放する内筒体５をその中心軸線が前記容器本体１の中心軸線と平行となるようにして固着した構成からなる。【選択図】図３
2007007924.tif 000002
【特許請求の範囲】
【請求項１】
上端面が開放する有底円筒状の容器本体と、前記容器本体の上端面に着脱自在に被さる蓋体とからなり、前記容器本体内にその一側に寄せて該容器本体の内径より小さい外径を有すると共に上端面が開放する内筒体をその中心軸線が前記容器本体の中心軸線と平行となるようにして固着してなることを特徴とするメモ用紙入りペン立て。
【請求項２】
前記内筒体は、その外径が前記容器本体の内径のほぼ半分であって前記容器本体内の内周一側面に外周一側面が接するように配置されている請求項１記載のメモ用紙入りペン立て。
【発明の詳細な説明】
【技術分野】
【０００１】
本発明は、メモ用紙が収納されると共に鉛筆、ボールペン等の筆記具を差し込んで使用することができるメモ用紙入りペン立てに関するものである。
【背景技術】
【０００２】
従来、この種メモ用紙と鉛筆、ボールペン等の筆記具をセットとして収納するようにしたメモ用紙入りペン立てが案出されている。このメモ用紙入りペン立ては、上端面が開放すると共に有底直方体形状をなす容器本体からなる。そして、メモ用紙を縦置きにして収納した内筒体をメモ用紙が容器本体の上端面から上方へ突出するようにして容器本体内に収納するようにしている（例えば、特許文献１参照。）。
【特許文献１】実開平５−７０９８１号公報（第５−８頁、図１）
【発明の開示】
【発明が解決しようとする課題】
【０００３】
このように特許文献１のメモ用紙入りペン立ては、容器本体内にメモ用紙が収納されるが、メモ用紙の上部は常に容器本体の上端面から上方へ突出しているので、このままでは梱包して出荷するに嵩張るばかりかメモ用紙の上部が他の物に衝突して傷つき易く見栄えが悪くなるという課題がある。そこで、仮に、前記容器本体とメモ用紙とを分けて出荷するようにすると、種類が増えてまとめ難く輸送効率が悪い。しかも、保管・管理も煩雑になるという課題がある。
【０００４】
そこで、本発明は上記課題を解決すべくなされたもので、メモ用紙を容器本体内に収納したままでもコンパクトになって嵩張らず、しかも、メモ用紙が損傷することもなく安全に保護され、輸送効率を高められるメモ用紙入りペン立てを提供することを目的とするものである。
【課題を解決するための手段】
【０００５】
かかる目的を達成するため本発明に係るメモ用紙入りペン立ては、上端面が開放する有底円筒状の容器本体と、該容器本体の上端面に着脱自在に被さる蓋体とからなり、前記容器本体内の一側に寄せて該容器本体の内径より小さい外径を有すると共に上端面が開放する内筒体をその中心軸線が前記容器本体の中心軸線と平行となるようにして固着した構成からなる。
【０００６】
この際、前記内筒体は、その外径が前記容器本体の内径のほぼ半分であって該容器本体内の内周一側面に外周一側面が接するように配置されることが好ましい。
【発明の効果】
【０００７】
本発明に係るメモ用紙入りペン立ては、容器本体内の一側に寄せて該容器本体の内径より小さい外径を有すると共に上端面が開放する内筒体をその中心軸線が容器本体の中心軸線と平行となるようにして固着してなり、メモ用紙を容器本体内の内筒体外側に横置きにして収納できる。しかも、その収納スペースはその平面形状が横置きのメモ用紙を湾曲させたときの形状、すなわち略三日月形をしておりうまく合致する。これにより、容器本体内にメモ用紙が該容器本体から上方へ突出することなく収納でき、メモ用紙は保護されることになり見栄えが悪くなることはない。
【０００８】
しかも、容器本体が非常にコンパクトに成形でき嵩ばることがないので、輸送効率を高めることができ、保管・管理も容易に行なえる。また、これによりトータルコストを削減できるという効果がある。
【発明を実施するための最良の形態】
【０００９】
以下、本発明に係るメモ用紙入りペン立ての実施の形態を図面に基づき説明する。図１は本発明に係るメモ用紙入りペン立ての分解斜視図、図２は同組立てた状態の斜視図、図３は同容器本体内を示す平面図、図４はメモ用紙の斜視図である。メモ用紙入りペン立てＡは、厚紙により成形され容器本体１と該容器本体１に被せられる蓋体２とから構成される。
【００１０】
容器本体１は、上端面１ａと下端面１ｂが開放されると共にそれら上端縁と下端縁はいずれも内側へ円弧状に折り曲げてカール部３ａ，３ｂが設けられている。また、内側の下端部には、容器本体１の内径と同じ外径を有する円筒状の底板４が上から落とし込まれて取着され、該底板４により下端面１ｂが塞がれる。詳しくは、底板４の外周縁が下端縁のカール部３ｂの上面に載って支持される。これにより、上端面１ａが開放する有底円筒状の容器本体１が成形される。
【００１１】
また、前記容器本体１内の一側に寄せて、該容器本体１の内径より小さい外径を有すると共に上端面５ａが開放する内筒体５をその中心軸線が容器本体１の中心軸線と平行となるようにして配置する。この場合、内筒体５の外径は自在に選択できるが、例えば、容器本体１の内径のほぼ半分が好ましい。そして、内筒体５は、接着剤によりその外周一側面を容器本体１の内周一側面に接着される。内筒体５の上端縁にも内側へ円弧状に折り曲げられるカール部６が設けられる。この際、内筒体５の上端面は容器本体１の上端面よりも少し下方に位置している。
【００１２】
これにより、図３に示すように容器本体１内は内筒体５の外側に平面形状がほぼ三日月形をなし複数枚重ねられたメモ用紙Ｍが収納できるメモ用紙収納部７が成形され、内筒体５内に鉛筆、ボールペン等の筆記具Ｐが収納できるペン等収納部８が成形される。
【００１３】
蓋体２は、容器本体１に被さる同じ円筒状をなしかつ上下端面９ａ，９ｂが開放される蓋筒部９からなり、その上端縁のみに内側へ円弧状に折り曲げられるカール部１０が設けられる。そして、その下側から蓋体２の内径と等しい外径を有する円板状の蓋板１１を嵌め込み、その外周縁を前記カール部１０の下面に固定する。
【００１４】
この場合、容器本体１の高さより蓋体２の高さの方が少し短く（例えば、１０〜１５ｍｍ）設定され、容器本体１に蓋体２を被せた状態では図２に示すように外径がほぼ１００ｍｍ、高さもほぼ１００ｍｍに設定される。これに対し、メモ用紙Ｍは、図４に示すように例えば高さＨが１２８ｍｍ、幅Ｗが９１ｍｍの寸法に設定されている。図示は省略するが、蓋体２の外周面には例えば一年のカレンダーまたはキャラクター等の所望の図柄・広告を印刷することが好ましい。これにより、蓋体２の外周面に印刷された図柄などのデザインが人目を引き、一種のインテリアとしても機能し、販促品、景品として最適に利用できる。
【００１５】
本発明に係るメモ用紙入りペン立てＡは上記構成からなり、図３に示すように組立段階で三日月形のメモ用紙収納部７内に所定枚数（例えば、２００枚）のメモ用紙Ｍを横置きにして収納する。この場合、メモ用紙Ｍの横向きの高さは９１ｍｍであってメモ用紙入りペン立てＡの高さ寸法であるほぼ１００ｍｍ以内にあり、メモ用紙Ｍが容器本体１の上端面１ａから上方へ食み出ることはない。しかも、メモ用紙Ｍは湾曲させると三日月形になり、前記メモ用紙収納部７内に馴染み易く余分な空きスペースはほとんどない。よって、メモ用紙Ｍが極めて有効的に収納でき、その分メモ用紙入りペン立てＡの全体的なコンパクト化が可能となる。
【００１６】
次に、所定枚数のメモ用紙Ｍを収納した容器本体１に蓋体２を被せる。このように蓋体２を被せた状態で梱包し工場から出荷されることになる。よって、メモ用紙Ｍはメモ用紙入りペン立てＡ内に収納されることになり、メモ用紙Ｍは保護され他の物に衝突して傷つくといったことはない。しかも、コンパクトであってメモ用紙Ｍを入れたまま取り扱うことができるから、輸送効率が高められると共に保管・管理も容易に行なえる。
【００１７】
一方、前記メモ用紙入りペン立てＡを机などの上において使用する場合は、図５、図６に示すように蓋体２を開けて該蓋体２を容器本体１のその下側から嵌め込む。そして、容器本体１内からメモ用紙Ｍを取り出し、縦方向の長さが横方向の長さに比べて長い縦置きにしてもう一度収納する。同時に、メモ用紙収納部７内の空きスペースＳに、例えば挟み、定規といった小物類Ｂを差し込んで収納する。また、内筒体５には鉛筆、ボールペン、万年筆といった筆記具Ｐを収納するようにする。
【００１８】
メモ用紙入りペン立てＡでは、メモ用紙Ｍの上部が容器本体１の上端面１ａから上方へ突出しているので、使用する場合に引き抜き易い。また、この場合、メモ用紙Ｍは円筒状の容器本体１内に収納され、しかも、メモ用紙Ｍの幅（９１ｍｍ）が容器本体１の内径（約１００ｍｍ）とほぼ同じであるので、メモ用紙Ｍが少なくなったとしてもそれらメモ用紙Ｍは常に容器本体１の内周面に当接することになり、後方へ倒れてしまい引き出しにくいといったことはなく使い勝手が良い。
【００１９】
また、メモ用紙入りペン立てＡは厚紙製について説明したが、この場合は素材が安価で製作も容易であることから、製作コストが低廉になし得る。他に、メモ用紙入りペン立てＡを合成樹脂製または金属製により成形するようにしても良い。この場合は、強固な構造となり耐久性に富む。
【図面の簡単な説明】
【００２０】
【図１】本発明に係るメモ用紙入りペン立ての分解斜視図。
【図２】同組立てた状態の斜視図。
【図３】同容器本体内を示す平面図。
【図４】メモ用紙の斜視図。
【図５】メモ用紙入りペン立ての使用状態を示す斜視図。
【図６】同平面図。
【符号の説明】
【００２１】
１                容器本体
１ａ              上端面
１ｂ              下端面
２                蓋体
５                内筒体
５ａ              上端面
Ａ                メモ用紙入りペン立て
Ｍ                メモ用紙
【図１】
2007007924.tif 000003
【図２】
2007007924.tif 000004
【図３】
2007007924.tif 000005
【図４】
2007007924.tif 000006
【図５】
2007007924.tif 000007
【図６】
2007007924.tif 000008